(57)【特許請求の範囲】
【請求項１】
製品の梱包時に、前記製品の側面を側面カバーで覆うとともに、前記製品の天面を天カバーで覆い、前記天カバーの縁部で前記側面カバーの上部を前記製品の反対側から覆う際に、前記製品の側面と天面との交わり部近傍に配置される梱包装置用支持部材であって、
前記製品の梱包時に前記製品の側面と前記側面カバーとの間の隙間を維持するように前記製品の側面の上部と前記側面カバーの上部との間に配置される外板部と、
前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、
を備え、
前記外板部と前記突出部とは、前記製品の梱包時に当該外板部と当該突出部との側方に配置される緩衝体と一体となっている前記天カバーの縁部を折り曲げることにより一体で形成されたことを特徴とする梱包装置用支持部材。
【請求項２】
製品の梱包時に、前記製品の側面を側面カバーで覆うとともに、前記製品の天面を天カバーで覆い、前記天カバーの縁部で前記側面カバーの上部を前記製品の反対側から覆う際に、前記製品の側面と天面との交わり部近傍に配置される梱包装置用支持部材であって、
前記製品の梱包時に前記製品の側面と前記側面カバーとの間の隙間を維持するように前記製品の側面の上部と前記側面カバーの上部との間に配置される外板部と、
前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、
前記外板部に連結して形成され、前記製品の梱包時に前記天カバーの前記側面カバー側と前記製品の天面とに挟み込まれる底壁部と、
前記底壁部の側縁部に形成され、前記製品の梱包時に前記底壁部の側方に配置される緩衝体の前記底壁部側に形成された凹部に嵌め込まれる凸部と、
を備えたことを特徴とする梱包装置用支持部材。
【請求項３】
前記凸部は、前記製品の梱包時に前記緩衝体側に行くにつれて広がるような楔状に形成されたことを特徴とする請求項２記載の梱包装置用支持部材。
【請求項４】
製品の梱包時に、前記製品の側面を側面カバーで覆うとともに、前記製品の天面を天カバーで覆い、前記天カバーの縁部で前記側面カバーの上部を前記製品の反対側から覆う際に、前記製品の側面と天面との交わり部近傍に配置される梱包装置用支持部材であって、
前記製品の梱包時に前記製品の側面と前記側面カバーとの間の隙間を維持するように前記製品の側面の上部と前記側面カバーの上部との間に配置される外板部と、
前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、
前記外板部に連結して形成され、前記製品の梱包時に前記天カバーの前記側面カバー側と前記製品の天面とに挟み込まれる底壁部と、
前記底壁部の側縁部に形成され、前記製品の梱包時に前記底壁部の側方に配置される緩衝体の前記底壁部側に形成された凸部に嵌め込まれる凹部と、
を備えたことを特徴とする梱包装置用支持部材。
【請求項５】
前記外板部は、前記底壁部の縁部を前記底壁部の中央側へ折り曲げることにより形成され、
前記突出部は、前記外板部と前記底壁部との間の交わり部近傍が基部となるように、前記交わり部近傍の前記外板部に切り込みを入れることにより、前記外板部から分離して形成されたことを特徴とする請求項２〜請求項４のいずれかに記載の梱包装置用支持部材。
【請求項６】
前記交わり部近傍の前記外板部の側縁部に連結して形成され、前記突出部の突出方向とは反対側で前記交わり部近傍の前記外板部と接するように折り畳まれた折り畳み部、
を備え、
前記外板部は、前記突出部の突出方向とは反対側から前記折り畳み部を覆うように折り返されたことを特徴とする請求項５記載の梱包装置用支持部材。
【請求項７】
前記突出部は、前記製品の梱包時に前記側面カバーの上部に形成された切り込み部に嵌め込まれることを特徴とする請求項２〜請求項６のいずれかに記載の梱包装置用支持部材。
【請求項８】
製品の梱包時に前記製品の側面を覆う側面カバーと、
前記製品の梱包時に前記製品の天面を覆うとともに、縁部で前記側面カバーの上部を前記製品の反対側から覆う天カバーと、
前記製品の梱包時に前記製品の側面と天面との交わり部近傍に配置される支持部材と、
前記製品の梱包時に前記支持部材の側方に配置される緩衝体と、
を備え、
前記支持部材は、
前記製品の梱包時に前記製品の側面と前記側面カバーとの間の隙間を維持するように前記製品の側面の上部と前記側面カバーの上部との間に配置される外板部と、
前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、
を備え、
前記外板部と前記突出部とは、前記天カバーの縁部を折り曲げることにより一体で形成され、
前記天カバーは、前記緩衝体と一体で形成されたことを特徴とする梱包装置。
【請求項９】
製品の梱包時に前記製品の側面を覆う側面カバーと、
前記製品の梱包時に前記製品の天面を覆うとともに、縁部で前記側面カバーの上部を前記製品の反対側から覆う天カバーと、
前記製品の梱包時に前記製品の側面と天面との交わり部近傍に配置される支持部材と、
前記製品の梱包時に前記支持部材の側方に配置された際に前記支持部材側に配置される凹部を有した緩衝体と、
を備え、
前記支持部材は、
前記製品の梱包時に前記製品の側面と前記側面カバーとの間の隙間を維持するように前記製品の側面の上部と前記側面カバーの上部との間に配置される外板部と、
前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、
前記製品の梱包時に前記天カバーの前記側面カバー側と前記製品の天面とに挟み込まれる底壁部と、
前記底壁部の側縁部に形成され、前記製品の梱包時に前記凹部に嵌め込まれる凸部と、
を備えたことを特徴とする梱包装置。
【請求項１０】
前記凸部は、前記製品の梱包時に前記緩衝体側に行くにつれて広がるような楔状に形成されたことを特徴とする請求項９記載の梱包装置。
【請求項１１】
製品の梱包時に前記製品の側面を覆う側面カバーと、
前記製品の梱包時に前記製品の天面を覆うとともに、縁部で前記側面カバーの上部を前記製品の反対側から覆う天カバーと、
前記製品の梱包時に前記製品の側面と天面との交わり部近傍に配置される支持部材と、
前記製品の梱包時に前記支持部材の側方に配置された際に前記支持部材側に配置される凸部を有した緩衝体と、
を備え、
前記支持部材は、
前記製品の梱包時に前記製品の側面と前記側面カバーとの間の隙間を維持するように前記製品の側面の上部と前記側面カバーの上部との間に配置される外板部と、
前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、
前記製品の梱包時に前記天カバーの前記側面カバー側と前記製品の天面とに挟み込まれる底壁部と、
前記底壁部の側縁部に形成され、前記製品の梱包時に前記凸部が嵌め込まれる凹部と、
を備えたことを特徴とする梱包装置。
【請求項１２】
前記外板部は、前記底壁部の縁部を前記底壁部の中央側へ折り曲げることにより形成され、
前記突出部は、前記外板部と前記底壁部との間の交わり部近傍が基部となるように、前記交わり部近傍の前記外板部に切り込みを入れることにより、前記外板部から分離して形成されたことを特徴とする請求項９〜請求項１１のいずれかに記載の梱包装置。
【請求項１３】
前記支持部材は、前記交わり部近傍の前記外板部の側縁部に連結して形成され、前記突出部の突出方向とは反対側で前記交わり部近傍の前記外板部と接するように折り畳まれた折り畳み部、
を備え、
前記外板部は、前記突出部の突出方向とは反対側から前記折り畳み部を覆うように折り返されたことを特徴とする請求項１２記載の梱包装置。
【請求項１４】
前記側面カバーの上部に形成された切り込み部、
を備え、
前記突出部は、前記製品の梱包時に前記切り込み部に嵌め込まれることを特徴とする請求項９〜請求項１３のいずれかに記載の梱包装置。
【発明の詳細な説明】
【技術分野】
【０００１】
この発明は、梱包装置用支持部材及びそれを用いた梱包装置に関するものである。
【背景技術】
【０００２】
一般に、背の高い電気機器等の製品は、梱包装置を利用して梱包される。梱包装置は、包装用固定台、包装用側面カバー、包装用天カバー、包装用バンドを備える。このような梱包装置として、包装用天カバーと剛性のある補強板とを一体とし、包装用天カバーと製品の側面の間に補強板を配置した状態で、包装用天カバーを製品の上面に取り付けるものが提案されている（例えば、特許文献１参）。
【先行技術文献】
【特許文献】
【０００３】
【特許文献１】特開２００９−１４９３４７号公報
【０００４】
上記梱包装置においては、補強板の内側に包装用側面カバーが配置される。このため、製品の側面と包装用側面カバーとの距離がなくなる。この状態で、包装用側面カバーの外側からフォーク等が突き当たると、製品の側面が損傷する。
【０００５】
これに対し、補強板の外側に包装用側面カバーが配置される場合は、製品の側面と包装用側面カバーとの間に隙間を形成することができる。このため、包装用側面カバーの外側からフォーク等が突き当たったとしても、製品の側面の損傷を抑制することができる。
【発明の概要】
【発明が解決しようとする課題】
【０００６】
しかしながら、上記梱包装置においては、包装用天カバーと補強板とが一体となっている。この場合、包装用天カバーよりも外側に包装用側面カバーが配置されることになる。このため、梱包装置によって製品を梱包した梱包品を輸送するときに、包装用側面カバーと外部の物との接触による包装用側面カバーのインク擦れが発生しやすくなる。
【０００７】
この発明は、上述のような課題を解決するためになされたもので、その目的は、物流時に、製品の側面の損傷を抑制するとともに、側面カバーの擦れも抑制することができる梱包装置用支持部材及びそれを用いた梱包装置を提供することである。
【課題を解決するための手段】
【０００８】
この発明に係る梱包装置用支持部材は、製品の梱包時に、前記製品の側面を側面カバーで覆うとともに、前記製品の天面を天カバーで覆い、前記天カバーの縁部で前記側面カバーの上部を前記製品の反対側から覆う際に、前記製品の側面と天面との交わり部近傍に配置される梱包装置用支持部材であって、前記製品の梱包時に前記製品の側面と前記側面カバーとの間の隙間を維持するように前記製品の側面の上部と前記側面カバーの上部との間に配置される外板部と、前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、を備え、前記外板部と前記突出部とは、前記製品の梱包時に当該外板部と当該突出部との側方に配置される緩衝体と一体となっている前記天カバーの縁部を折り曲げることにより一体で形成されたものである。
また、発明に係る梱包装置用支持部材は、製品の梱包時に、前記製品の側面を側面カバーで覆うとともに、前記製品の天面を天カバーで覆い、前記天カバーの縁部で前記側面カバーの上部を前記製品の反対側から覆う際に、前記製品の側面と天面との交わり部近傍に配置される梱包装置用支持部材であって、前記製品の梱包時に前記製品の側面と前記側面カバーとの間の隙間を維持するように前記製品の側面の上部と前記側面カバーの上部との間に配置される外板部と、前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、前記外板部に連結して形成され、前記製品の梱包時に前記天カバーの前記側面カバー側と前記製品の天面とに挟み込まれる底壁部と、前記底壁部の側縁部に形成され、前記製品の梱包時に前記底壁部の側方に配置される緩衝体の前記底壁部側に形成された凹部に嵌め込まれる凸部と、を備えたものである。
また、発明に係る梱包装置用支持部材は、製品の梱包時に、前記製品の側面を側面カバーで覆うとともに、前記製品の天面を天カバーで覆い、前記天カバーの縁部で前記側面カバーの上部を前記製品の反対側から覆う際に、前記製品の側面と天面との交わり部近傍に配置される梱包装置用支持部材であって、前記製品の梱包時に前記製品の側面と前記側面カバーとの間の隙間を維持するように前記製品の側面の上部と前記側面カバーの上部との間に配置される外板部と、前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、前記外板部に連結して形成され、前記製品の梱包時に前記天カバーの前記側面カバー側と前記製品の天面とに挟み込まれる底壁部と、前記底壁部の側縁部に形成され、前記製品の梱包時に前記底壁部の側方に配置される緩衝体の前記底壁部側に形成された凸部に嵌め込まれる凹部と、を備えたものである。
【０００９】
この発明に係る梱包装置は、製品の梱包時に前記製品の側面を覆う側面カバーと、前記製品の梱包時に前記製品の天面を覆うとともに、縁部で前記側面カバーの上部を前記製品の反対側から覆う天カバーと、前記製品の梱包時に前記製品の側面と天面との交わり部近傍に配置される支持部材と、前記製品の梱包時に前記支持部材の側方に配置される緩衝体と、を備え、前記支持部材は、前記製品の梱包時に前記製品の側面と前記側面カバーとの間の隙間を維持するように前記製品の側面の上部と前記側面カバーの上部との間に配置される外板部と、前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、を備え、前記外板部と前記突出部とは、前記天カバーの縁部を折り曲げることにより一体で形成され、前記天カバーは、前記緩衝体と一体で形成されたものである。
また、この発明に係る梱包装置は、製品の梱包時に前記製品の側面を覆う側面カバーと、前記製品の梱包時に前記製品の天面を覆うとともに、縁部で前記側面カバーの上部を前記製品の反対側から覆う天カバーと、前記製品の梱包時に前記製品の側面と天面との交わり部近傍に配置される支持部材と、前記製品の梱包時に前記支持部材の側方に配置された際に前記支持部材側に配置される凹部を有した緩衝体と、を備え、前記支持部材は、前記製品の梱包時に前記製品の側面と前記側面カバーとの間の隙間を維持するように前記製品の側面の上部と前記側面カバーの上部との間に配置される外板部と、前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、前記製品の梱包時に前記天カバーの前記側面カバー側と前記製品の天面とに挟み込まれる底壁部と、前記底壁部の側縁部に形成され、前記製品の梱包時に前記凹部に嵌め込まれる凸部と、を備えたものである。
また、この発明に係る梱包装置は、製品の梱包時に前記製品の側面を覆う側面カバーと、前記製品の梱包時に前記製品の天面を覆うとともに、縁部で前記側面カバーの上部を前記製品の反対側から覆う天カバーと、前記製品の梱包時に前記製品の側面と天面との交わり部近傍に配置される支持部材と、前記製品の梱包時に前記支持部材の側方に配置された際に前記支持部材側に配置される凸部を有した緩衝体と、を備え、前記支持部材は、前記製品の梱包時に前記製品の側面と前記側面カバーとの間の隙間を維持するように前記製品の側面の上部と前記側面カバーの上部との間に配置される外板部と、前記外板部に連結して形成され、前記製品の梱包時に前記外板部から前記側面カバーの上方を通過して前記側面カバー上部を覆った前記天カバーの縁部に向かって水平方向に突出して、前記側面カバーの上部と前記天カバーの下面とに挟み込まれる突出部と、前記製品の梱包時に前記天カバーの前記側面カバー側と前記製品の天面とに挟み込まれる底壁部と、前記底壁部の側縁部に形成され、前記製品の梱包時に前記凸部が嵌め込まれる凹部と、を備えたものである。
【発明の効果】
【００１０】
これらの発明によれば、物流時に、製品の側面の損傷を防止するとともに、側面カバーの擦れも防止することができる。
【図面の簡単な説明】
【００１１】
【図１】この発明の実施の形態１における梱包装置を説明するための斜視図である。
【図２】この発明の実施の形態１における梱包装置の固定方法を説明するための斜視図である。
【図３】この発明の実施の形態１における梱包装置に利用される支持部材構造体の組立前の状態を説明するための平面図である。
【図４】この発明の実施の形態１における梱包装置に利用される支持部材構造体の組立方法を説明するための側面図である。
【図５】この発明の実施の形態１における梱包装置による梱包後の状態を説明するための縦断面図である。
【図６】この発明の実施の形態２における梱包装置に利用される支持部材構造体の組立前の状態を説明するための平面図である。
【図７】この発明の実施の形態２における梱包装置に利用される支持部材構造体の組立方法を説明するための斜視図である。
【図８】この発明の実施の形態３における梱包装置の要部縦断面図である。
【図９】この発明の実施の形態４における梱包装置の要部縦断面図である。
【図１０】この発明の実施の形態５における梱包装置に利用される支持部材構造体の組立前の状態を説明するための平面図である。
【図１１】この発明の実施の形態５における梱包装置による梱包後の状態を説明するための横断面図である。
【図１２】この発明の実施の形態６における梱包装置に利用される支持部材構造体の組立前の状態を説明するための平面図である。
【図１３】この発明の実施の形態７における梱包装置による梱包後の状態を説明するための横断面図である。
【発明を実施するための形態】
【００１２】
この発明を実施するための形態について添付の図面に従って説明する。なお、各図中、同一又は相当する部分には同一の符号を付しており、その重複説明は適宜に簡略化ないし省略する。
【００１３】
実施の形態１．
図１はこの発明の実施の形態１における梱包装置を説明するための斜視図である。
図１において、１は製品である。製品１は略直方体からなる。例えば、製品１は、背の高い電気機器等である。製品１の下部には、脚部２が設けられる。
【００１４】
３は包装用固定台である。包装用固定台３は、水平投影面上で略正方形となる木材で形成される。４は包装用側面カバーである。包装用側面カバー４は、筒状の段ボールシート等で形成される。５は包装用天カバーである。包装用天カバー５は、水平投影面上で略正方形となる段ボールシート等で形成される。６は天部緩衝体である。天部緩衝体６は、発砲スチロール等で形成される。７は支持部材構造体である。支持部材構造体７は、段ボールシート等を折り曲げることにより形成される。
【００１５】
製品１の梱包は、次のように行われる。まず、製品１の脚部２が包装用固定台３にボルト等で固定される。その後、製品１の上方から製品１の側面を覆うように、包装用側面カバー４が被せられる。その後、製品１の上部両側に天部緩衝体６が被せられる。その後、天部緩衝体６の上方から製品１の天面を覆うように、包装用天カバー５が被せられる。本実施の形態においては、包装用天カバー５が被せられる前に、支持部材構造体７が、両天部緩衝体６の間で、製品１の側面と天面の交わり部近傍に配置される。
【００１６】
次に、図２を用いて、梱包装置の固定方法を説明する。
図２はこの発明の実施の形態１における梱包装置の固定方法を説明するための斜視図である。
【００１７】
図２において、８は輪状の包装用バンドである。包装用バンド８は、ＰＰバンドからなる。包装用バンド８は、包装用天カバー５から包装用固定台３に掛け回される。これにより、製品１と梱包装置とが固定された梱包品９となる。
【００１８】
次に、図３を用いて、支持部材構造体７の組立前の状態を説明する。
図３はこの発明の実施の形態１における梱包装置に利用される支持部材構造体の組立前の状態を説明するための平面図である。
【００１９】
図３には、支持部材構造体７の展開基板が示される。展開基板は、略長方形のダンボールシートで形成される。展開基板においては、底壁部１０と外板部１１とが連結される。底壁部１０は、展開基板の長手方向一側に形成される。外板部１１は、展開基板の長手方向他側に形成される。外板部１１においては、底壁部１０側から順番に、第１外板１２〜第４外板１５が連結される。
【００２０】
底壁部１０と第１外板１２との間には、第１折り曲げ罫線１６が形成される。第１外板１２と第２外板１３との間には、第２折り曲げ罫線１７が形成される。第２外板１３と第３外板１４との間には、第３折り曲げ罫線１８が形成される。第３外板１４と第４外板１５との間には、第４折り曲げ罫線１９が形成される。
【００２１】
本実施の形態においては、第１外板１２の底壁部１０側に、切り込み罫線２０が形成される。切り込み罫線２０は、底壁部１０側に開口したコ字状に形成される。その結果、第１折り曲げ罫線１６の中央よりも第１外板１２側の部分は、第１外板１２から分離される。
【００２２】
次に、図４を用いて、支持部材構造体７の組立方法を説明する。
図４はこの発明の実施の形態１における梱包装置に利用される支持部材構造体の組立方法を説明するための側面図である。
【００２３】
まず、第４外板１５の裏面と第３外板１４の裏面とが接するように、第４折り曲げ罫線１９を支点として、第４外板１５が１８０度折り返される。その後、第３外板１４の表面と第２外板１３の表面とが接するように、第３折り曲げ罫線１８を支点として、第３外板１４が１８０度折り返される。
【００２４】
その後、第２外板１３の裏面と第１外板１２の裏面とが接するように、第２折り曲げ罫線１７を支点として、第２外板１３が１８０度折り返される。その後、第２外板１３〜第４外板１５が底壁部１０の裏面側かつ中央側に配置されるように、第１折り曲げ罫線１６を支点として、第１外板１２が９０度折り曲げられる。
【００２５】
この際、切り込み罫線２０によって分離された部分は、底壁部１０に対して平行状態を維持する。その結果、当該部分は、外板部１１と底壁部１０との間の交わり部近傍を基部として、外板部１１から底壁部１０とは反対側に突出する突出部２１となる。
【００２６】
次に、図５を用いて、製品１の梱包時における支持部材構造体７の配置を説明する。
図５はこの発明の実施の形態１における梱包装置による梱包後の状態を説明するための縦断面図である。
図５に示すように、包装用側面カバー４の上部は、包装用天カバー５の縁部に製品１の反対側から覆われる。
【００２７】
支持部材構造体７の底壁部１０下面は、製品１の天面１ａに接する。支持部材構造体７の底壁部１０上面は、包装用天カバー５の下面に接する。すなわち、支持部材構造体７の底壁部１０は、製品１の天面１ａと包装用天カバー５とに挟み込まれる。これにより、製品１の天面１ａと包装用天カバー５との間の隙間が維持される。
【００２８】
支持部材構造体７の外板部１１は、製品１の側面１ｂの上部と包装用側面カバー４の上部との間に配置される。具体的には、第４外板１５が製品１の側面１ｂに接する。第１外板１２が包装用側面カバー４に接する。これにより、製品１の側面１ｂと包装用側面カバー４との間の隙間が維持される。
【００２９】
支持部材構造体７の突出部２１は、外板部１１から包装用側面カバー４の上方を通過して、包装用天カバー５の縁部に向かって水平方向に突出する。支持部材構造体７の突出部２１下面は、包装用側面カバー４の上縁部に接する。支持部材構造体７の突出部２１上面は、包装用天カバー５の下面に接する。すなわち、支持部材構造体７の突出部２１は、包装用側面カバー４の上部と包装用天カバー５の下面とに挟み込まれる。
【００３０】
以上で説明した実施の形態１によれば、支持部材構造体７の突出部２１は、包装用側面カバー４の上部と包装用天カバー５の下面とに挟み込まれる。これにより、支持部材構造体７の突出部２１は、包装用側面カバー４と包装用天カバー５とに対する移動が規制される。その結果、支持部材構造体７の外板部１１は、製品１の側面１ｂの上部と包装用側面カバー４の上部との間に配置された状態を確実に維持する。このため、製品１の側面１ｂと包装用側面カバー４との間の隙間が確実に維持される。
【００３１】
これにより、梱包品９をフォーク等で扱ったりトラックで輸送したりする場合に、支持部材構造体７が脱落することはない。従って、包装用側面カバー４の外側から外力が働いたとしても、製品１の側面１ｂの損傷を抑制することができる。さらに、本実施の形態においては、包装用天カバー５の縁部よりも製品１側に包装用側面カバー４が配置される。このため、梱包品９の輸送時に包装用側面カバー４が擦れることを抑制できる。
【００３２】
本構成によれば、梱包品９を横積みした場合、天部緩衝体６だけでなく支持部材構造体７でも製品１を支持することになる。このため、梱包品９を横積みしたトラックが路面の凹凸から振動を受けて、梱包品９が飛び跳ねて上下に衝撃を受けた場合でも、製品１に局所応力が発生することを緩和できる。これにより、製品１の筐体板金変形を抑制することができる。さらに、梱包装置の天部の構成は単純に分割されている。このため、組立と分別とが容易な包装形態を実現することができる。
【００３３】
また、支持部材構造体７の突出部２１は、外板部１１と底壁部１０との間の交わり部近傍が基部となるように、外板部１１に切り込みを入れることにより、外板部１１から分離して形成される。このため、容易に支持部材構造体７を組み立てることができる。
【００３４】
実施の形態２．
図６はこの発明の実施の形態２における梱包装置に利用される支持部材構造体の組立前の状態を説明するための平面図である。なお、実施の形態１と同一又は相当部分には同一符号を付して説明を省略する。
【００３５】
実施の形態１の展開基板は、略長方形であった。一方、実施の形態の２の展開基板は、長方形よりも複雑な形状となっている。以下、実施の形態２の展開基板の構成を説明する。
【００３６】
外板部１１において、底壁部１０側から順々に、第１外板２２〜第３外板２４が連結される。第１外板２２と第２外板２３との間には、第２折り曲げ罫線２５が形成される。第２外板２３と第３外板２４との間には、第３折り曲げ罫線２６が形成される。さらに、実施の形態２においては、第１外板２２の両側縁部に折り畳み部２７が連結して形成される。第１外板２２と折り畳み部２７との間には、第４折り曲げ罫線２８が形成される。
【００３７】
次に、図７を用いて、支持部材構造体７の組立方法を説明する。
図７はこの発明の実施の形態２における梱包装置に利用される支持部材構造体の組立方法を説明するための斜視図である。
【００３８】
まず、折り畳み部２７の裏面と第１外板２２の裏面とが接するように、第４折り曲げ罫線２８を支点として、折り畳み部２７が１８０度折り返される。その後、外板部１１で折り畳み部２７を包み込むように、第１折り曲げ罫線１６、第２折り曲げ罫線２５、第３折り曲げ罫線２６が９０度折り曲げられる。
【００３９】
その結果、折り畳み部２７は、突出部２１の突出方向とは反対側で第１外板２２〜第３外板２４によって覆われる。
【００４０】
以上で説明した実施の形態２によれば、実施の形態１と同様の効果を得ることができる。
【００４１】
実施の形態３．
図８はこの発明の実施の形態３における梱包装置の要部縦断面図である。なお、実施の形態１と同一又は相当部分には同一符号を付して説明を省略する。
【００４２】
図８に示すように、包装用側面カバー４の上部には、切り込み部２９が形成される。支持部材構造体７の突出部２１は、包装用側面カバー４の切り込み部２９に接するように嵌め込まれる。
【００４３】
以上で説明した実施の形態３によれば、支持部材構造体７が所定位置から外れることをより確実に抑制することができる。このため、製品１をより確実に保護することができる。
【００４４】
実施の形態４．
図９はこの発明の実施の形態４における梱包装置の縦断面図である。なお、実施の形態１と同一又は相当部分には同一符号を付して説明を省略する。
【００４５】
実施の形態１においては、包装用天カバー５と支持部材構造体７とが別々で形成されていた。一方、実施の形態４においては、包装用天カバー５と支持部材構造体７とが一体で形成される。
【００４６】
具体的には、包装用天カバー５の縁部５ａは、包装用天カバー５の中央側へ上方に１８０度折り返された後、包装用天カバー５の中央側に向かって水平方向に９０度折り曲げられる。この水平方向に折り曲げられた部分が、突出部３０として機能する。その後、包装用天カバー５の縁部５ａは、包装用天カバー５の中央に向かって複数回折り返される。この折り返された部分が、外板部３１として機能する。その後、包装用天カバー５の縁部５ａは、包装用天カバー５の中央に向かって水平方向に折り曲げられる。この折り曲げられた部分が、底壁部３２として機能する。
【００４７】
以上で説明した実施の形態４によれば、支持部材構造体７は、包装用天カバー５の縁部５ａを折り曲げることにより一体で形成される。このため、実施の形態１と同様の効果に加え、支持部材構造体７の紛失を防止しつつ、安価な梱包装置を提供できる。
【００４８】
なお、支持部材構造体７とともに天部緩衝体６も包装用天カバー５と一体で形成してもよい。この場合、天部緩衝体６の紛失を防止しつつ、安価な梱包装置を提供できる。
【００４９】
実施の形態５．
図１０はこの発明の実施の形態５における梱包装置に利用される支持部材構造体の組立前の状態を説明するための平面図である。図１１はこの発明の実施の形態５における梱包装置による梱包後の状態を説明するための横断面図である。なお、実施の形態１と同一又は相当部分には同一符号を付して説明を省略する。
【００５０】
実施の形態１においては、天部緩衝体６と支持部材構造体７とは、嵌め合う構造になっていなかった。一方、実施の形態５においては、天部緩衝体６と支持部材構造体７とは、嵌め合う構造になっている。
【００５１】
具体的には、図１０及び図１１に示すように、支持部材構造体７の底壁部１０の両側縁部には、凸部３３が形成される。これに対し、天部緩衝体６の支持部材構造体７側縁部には、凹部３４が形成される。製品１の梱包時に、支持部材構造体７の凸部３３は、天部緩衝体６の凹部３４に嵌め込まれる。
【００５２】
以上で説明した実施の形態５によれば、製品１の梱包時に支持部材構造体７の凸部３３が天部緩衝体６の凹部３４に嵌め込まれる。このため、支持部材構造体７が所定位置から外れることをより確実に抑制することができる。これにより、製品１をより確実に保護することができる。
【００５３】
実施の形態６．
図１２はこの発明の実施の形態６における梱包装置に利用される支持部材構造体の組立前の状態を説明するための平面図である。なお、実施の形態５と同一又は相当部分には同一符号を付して説明を省略する。
【００５４】
実施の形態６は、支持部材構造体７の突出部３５と凸部３６とが楔状に形成される。具体的には、支持部材構造体７の突出部３５と凸部３６は、外側に行くにつれて広がっている。
【００５５】
以上で説明した実施の形態６によれば、支持部材構造体７の突出部３５と凸部３６が楔状に形成される。このため、支持部材構造体７の突出部３５と包装用側面カバー４の切り込み部２９との嵌め合いをより確実にすることができる。また、支持部材構造体７の凸部３６凹部３４と天部緩衝体６の凹部３４との嵌め合いをより確実にすることができる。
【００５６】
実施の形態７．
図１３はこの発明の実施の形態７における梱包装置による梱包後の状態を説明するための横断面図である。なお、実施の形態５と同一又は相当部分には同一符号を付して説明を省略する。
【００５７】
実施の形態５においては、支持部材構造体７の底壁部１０に凸部３３が設けられていた。これに対し、天部緩衝体６に凹部３４が設けられていた。一方、実施の形態６においては、支持部材構造体７の底壁部１０に凹部３７が設けられる。これに対し、天部緩衝体６に凸部３８が設けられる。
【００５８】
以上で説明した実施の形態７によれば、実施の形態５と同様の効果を得ることができる。
【符号の説明】
【００５９】
１  製品
１ａ  天面
１ｂ  側面
２  脚部
３  包装用固定台
４  包装用側面カバー
５  包装用天カバー
５ａ  縁部
６  天部緩衝体
７  支持部材構造体
８  包装用バンド
９  梱包品
１０  底壁部
１１  外板部
１２〜１５  第１〜第４外板
１６〜１９  第１〜第４折り曲げ罫線
２０  切り込み罫線
２１  突出部
２２〜２４  第１〜第３外板  
２５  第２折り曲げ罫線
２６  第３折り曲げ罫線
２７  折り畳み部
２８  第４折り曲げ罫線
２９  切り込み部
３０  突出部
３１  外板部
３２  底壁部
３３  凸部
３４  凹部
３５  突出部
３６  凸部
３７  凹部
３８  凸部
【図１】
0005158171.tif 000002
【図２】
0005158171.tif 000003
【図３】
0005158171.tif 000004
【図４】
0005158171.tif 000005
【図５】
0005158171.tif 000006
【図６】
0005158171.tif 000007
【図７】
0005158171.tif 000008
【図８】
0005158171.tif 000009
【図９】
0005158171.tif 000010
【図１０】
0005158171.tif 000011
【図１１】
0005158171.tif 000012
【図１２】
0005158171.tif 000013
【図１３】
0005158171.tif 000014